(57)【要約】【課題】  目覚まし通知機能を簡単に停止、復旧させることが可能な端末装置を提供する。【解決手段】  端末装置（移動無線通信端末装置１）は、予め設定した通知時刻に達した時に予め設定した通知方法にしたがって通知を行う通知機能（制御部１３、オーディオ部１６、スピーカ１７）を少なくとも備えている。端末装置（移動無線通信端末装置１）は、通知機能による通知をスキップさせる制御機能（目覚ましスキップ制御部１３１）を有する。【選択図】      図１
2011066563.tif 000002
【特許請求の範囲】
【請求項１】
予め設定した通知時刻に達した時に予め設定した通知方法にしたがって通知を行う通知機能を少なくとも備える端末装置であって、
前記通知機能による通知をスキップさせる制御機能を有することを特徴とする端末装置。
【請求項２】
前記通知機能をスキップさせるためのスキップ項目を当該通知機能の設定項目内に設け、
前記制御機能は、前記スキップ項目にしたがって前記通知機能による通知をスキップさせることを特徴とする請求項１記載の端末装置。
【請求項３】
前記制御機能は、前記通知機能の通知する種類に応じて前記通知をスキップさせることを特徴とする請求項１または請求項２記載の端末装置。
【請求項４】
前記通知機能の通知をスキップさせる設定を外部の情報をトリガーとして設定することを特徴とする請求項１から請求項３のいずれか記載の端末装置。
【請求項５】
前記通知機能は、予め設定した目覚まし通知時刻に達した時に、予め設定した目覚まし通知方法にしたがって目覚まし通知を行う目覚まし通知機能であることを特徴とする請求項１から請求項４のいずれか記載の端末装置。
【請求項６】
少なくとも前記通知機能を備えた携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ）、ゲーム機、固定電話機のいずれかであることを特徴とする請求項１から請求項５のいずれか記載の端末装置。
【請求項７】
予め設定した通知時刻に達した時に予め設定した通知方法にしたがって通知を行う通知機能を少なくとも備える端末装置に用いる通知機能制御方法であって、
前記端末装置が、前記通知機能による通知をスキップさせる制御ステップを実行することを特徴とする通知機能制御方法。
【請求項８】
前記通知機能をスキップさせるためのスキップ項目を当該通知機能の設定項目内に設け、
前記制御ステップにおいて、前記スキップ項目にしたがって前記通知機能による通知をスキップさせることを特徴とする請求項７記載の通知機能制御方法。
端末装置。
【請求項９】
前記制御ステップにおいて、前記通知機能の通知する種類に応じて前記通知をスキップさせることを特徴とする請求項７または請求項８記載の通知機能制御方法。
【請求項１０】
前記通知機能の通知をスキップさせる設定を外部の情報をトリガーとして設定することを特徴とする請求項７から請求項９のいずれか記載の通知機能制御方法。
【請求項１１】
前記通知機能は、予め設定した目覚まし通知時刻に達した時に、予め設定した目覚まし通知方法にしたがって目覚まし通知を行う目覚まし通知機能であることを特徴とする請求項７から請求項１０のいずれか記載の通知機能制御方法。
【請求項１２】
前記端末装置が、少なくとも前記通知機能を備えた携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ）、ゲーム機、固定電話機のいずれかであることを特徴とする請求項７から請求項１１のいずれか記載の通知機能制御方法。
【請求項１３】
予め設定した通知時刻に達した時に予め設定した通知方法にしたがって通知を行う通知機能を少なくとも備える端末装置内の中央処理装置に実行させるプログラムであって、
前記通知機能による通知をスキップさせる制御処理を含むことを特徴とするプログラム。
【発明の詳細な説明】
【技術分野】
【０００１】
本発明は端末装置及びそれに用いる通知機能制御方法並びにそのプログラムに関し、特に携帯電話機における目覚まし時刻になったことを通知する機能に関する。
【背景技術】
【０００２】
通常、携帯電話機には、予め設定した時刻に、音またはその他の手段によって目覚まし時刻になったことを通知する機能（以下、目覚まし通知機能と呼ぶ）を備えている（例えば、特許文献１参照）。
【０００３】
携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ：個人向け携帯型情報通信機器）等の携帯端末装置の多くは、上記の目覚まし通知機能を具備している。
【０００４】
この目覚まし通知機能の動作を設定する場合は、図５に示すように、機能メニュー画面３２において繰り返し通知させる設定があり、毎日繰り返す設定や曜日毎に繰り返す設定等がある。ところが、繰り返し設定では祝日、休日に対応できず、希望しない日時に目覚まし通知機能が動作してしまうなど操作性は十分ではない。
【先行技術文献】
【特許文献】
【０００５】
【特許文献１】特開２００７−３２９６０７号公報
【発明の概要】
【発明が解決しようとする課題】
【０００６】
しかしながら、上述した本発明に関連する携帯電話機の目覚まし通知機能では、曜日毎の繰り返し設定において祝日、休日に対応できず、希望しない日時に目覚まし通知機能が動作してしまうことがあるという問題がある。
【０００７】
また、本発明に関連する目覚まし通知機能では、祝日、休日の前日に目覚まし通知機能をＯＦＦさせた場合に、祝日、休日が終わった後に再度、目覚まし通知機能をＯＮさせることを忘れてしまう等の不具合が生じるという問題がある。さらに、設定を忘れないとしても、再設定を必要とするため、操作性が悪くなるという問題も生じる。
【０００８】
この不具合に対して、携帯電話機の機種によっては、毎日、曜日の設定方法のほかに、平日、祝日の管理で繰り返しを設定することもできるが、その場合には、カレンダーとは連動しない休日、例えば創立記念日や有給休暇には対応できないという問題が生じる。この場合は、そもそも春分と秋分の日のように日程が決まっていないようなケースには対応することができない。
【０００９】
そこで、本発明の目的は上記の問題点を解消し、目覚まし通知機能を簡単に停止、復旧させることができる端末装置及びそれに用いる目覚まし通知機能制御方法並びにそのプログラムを提供することにある。
【課題を解決するための手段】
【００１０】
本発明による端末装置は、予め設定した通知時刻に達した時に予め設定した通知方法にしたがって通知を行う通知機能を少なくとも備える端末装置であって、
前記通知機能による通知をスキップさせる制御機能を備えている。
【００１１】
本発明による通知機能制御方法は、予め設定した通知時刻に達した時に予め設定した通知方法にしたがって通知を行う通知機能を少なくとも備える端末装置に用いる通知機能制御方法であって、
前記端末装置が、前記通知機能による通知をスキップさせる制御ステップを実行している。
【００１２】
本発明によるプログラムは、予め設定した通知時刻に達した時に予め設定した通知方法にしたがって通知を行う通知機能を少なくとも備える端末装置内の中央処理装置に実行させるプログラムであって、
前記通知機能による通知をスキップさせる制御処理を含むことを特徴とする。
【発明の効果】
【００１３】
本発明は、上記のような構成及び動作とすることで、目覚まし通知機能を簡単に停止、復旧させることができるという効果が得られる。
【図面の簡単な説明】
【００１４】
【図１】本発明の第１の実施の形態による移動無線通信端末装置の構成例を示すブロック図である。
【図２】本発明の第１の実施の形態による移動無線通信端末装置の外観構成例を示す図である。
【図３】本発明の第１の実施の形態による目覚まし通知機能の設定項目の画面構成例を示す図である。
【図４】本発明の第１の実施の形態による移動無線通信端末装置を用いた目覚まし通知機能の動作を示すフローチャートである。
【図５】目覚まし通知機能の現状の設定項目の例を示す図である。
【発明を実施するための形態】
【００１５】
次に、本発明の実施の形態について図面を参照して説明する。まず、本発明による移動無線通信端末の概要について説明する。本発明は、移動無線通信端末及びその目覚まし通知機能の制御方法に関し、特に、予め設定した目覚まし時刻に、音またはその他の手段で目覚まし通知を行う目覚まし通知機能を備えた移動無線通信端末における簡単に目覚まし通知機能をＯＮ／ＯＦＦさせる制御方法を提供する。
【００１６】
尚、移動無線通信端末としては、携帯電話機、ＰＨＳ（Ｐｅｒｓｏｎａｌ  Ｈａｎｄｙｐｈｏｎｅ  Ｓｙｓｔｅｍ）、ＰＤＡ（Ｐｅｒｓｏｎａｌ  Ｄａｔａ  Ａｓｓｉｓｔａｎｃｅ，Ｐｅｒｓｏｎａｌ  Ｄｉｇｉｔａｌ  Ａｓｓｉｓｔａｎｔｓ：個人向け携帯型情報通信機器）等がある。
【００１７】
上記目的を達成するため、本発明は、予め設定した目覚まし通知時刻に達した時に、予め設定した目覚まし通知方法に従って目覚まし通知を行う目覚まし通知機能を少なくとも備える移動無線通信端末において、目覚まし通知機能をＯＮ／ＯＦＦする設定画面に、前記目覚まし通知機能をスキップ（ＳＫＩＰ）する回数を設定するための項目が設けられているものである。
【００１８】
また、本発明は、予め設定した目覚まし通知時刻に達した時に、予め設定した目覚まし通知方法に従って目覚まし通知を行う目覚まし通知機能を少なくとも備える移動無線通信端末において、予め設定されたスキップ回数にしたがって、目覚まし通知機能をスキップさせるものである。
【００１９】
このように、本発明では、目覚まし通知機能の設定画面に、目覚まし通知機能をスキップさせる設定項目を用意し、その回数にしたがって目覚まし通知機能を簡単にスキップさせることにより、カレンダーに関係のない休みに対応する等の様々な利用者に適した目覚まし通知を行うことができる。
【００２０】
また、本発明では、目覚まし通知機能のＯＮ／ＯＦＦではなく、スキップさせることで、目覚まし通知機能を再設定するという操作を省略することが可能となり、利用者の操作性を向上させることができる。
【００２１】
図１は本発明の第１の実施の形態による移動無線通信端末装置の構成例を示すブロック図であり、図２は本発明の第１の実施の形態による移動無線通信端末装置の外観構成例を示す図である。
【００２２】
図１及び図２において、本実施の形態による移動無線通信端末装置１は、アンテナ１１及び無線部１２等の無線通信手段と、制御部１３と、メモリ１４等の記憶手段と、目覚まし通知機能起動キーを含むキー操作部１５と、オーディオ部１６及びスピーカ１７等の出力手段と、表示部１８と、時計部１９とを少なくとも備えている。
【００２３】
アンテナ１１及び無線部１２は、移動無線通信端末装置１を用いた通話や電子メールの送受信等を実現するための手段であり、無線部１２は、アンテナ１１にて受信した信号を、受信したい信号周波数に変換して増幅し、復調した後、受信データを制御部１３に出力する。
【００２４】
制御部１３は、ＣＰＵ（中央処理装置）等で構成され、移動無線通信端末装置１の各部と接続され、移動無線通信端末装置１全体を制御する。例えば、キー操作部１３で入力された目覚まし通知機能（図示せず）の設定をメモリ１４に格納したり、メモリ１４に記憶された目覚まし通知時刻と時計部１９で計時される現在の時刻とを比較し、目覚まし通知時刻になったらスピーカ１７からメロディ等を鳴動させたり、バイブレーションを動作させたり、目覚まし通知機能の設定画面を表示部１８に表示させる等の制御を行う。
【００２５】
アラームスキップ制御部１３１もこの制御部１３の一部であり、設定されているスキップ回数にしたがって目覚まし通知機能の制御を行う。尚、アラームスキップ制御部１３１の制御を含む制御部１３による制御は、ＣＰＵ等がメモリ１４に格納されたプログラムを実行することで実現される。
【００２６】
メモリ１４は、ＲＡＭ（Ｒａｎｄｏｍ  Ａｃｃｅｓｓ  Ｍｅｍｏｒｙ）等で構成され、移動無線通信端末装置１を動作させるためのプログラムやユーザデータ、目覚まし通知時刻や目覚まし通知方法の設定情報、他の機能の動作条件等を格納する。
【００２７】
また、キー操作部１５は、数字キーや方向キー、特殊キー等を含む各種キーからの入力を受ける入力回路である。
【００２８】
オーディオ部１６は、アンテナ１１及び無線部１２を用いて受信した音声信号や呼出音信号、アラーム音信号、目覚ましメロディ信号等の増幅を行う回路であり、スピーカ１７は、オーディオ部１６から出力される増幅信号を音声や音として出力する装置である。
【００２９】
表示部１８は、液晶表示装置や有機ＥＬ（Ｅｌｅｃｔｒｏｌｕｍｉｎｅｓｃｅｎｃｅ）表示装置等で構成され、移動無線通信端末装置１としての各種情報を表示すると共に、メニュー画面や目覚まし通知機能の設定画面、待ち受け画面等を表示する。
【００３０】
時計部１９は、時計機能を有する回路であり、制御部１３に対して現在の時刻を通知する。
【００３１】
尚、図１は本実施の形態による移動無線通信端末装置１の基本構成であり、他にディジタルカメラ機能やＴＶ（テレビ）電話機能、ＴＶ放送受信機能、非接触ＩＣ（集積回路）カード機能等の他の機能を実現するための手段を備えていてもよい。
【００３２】
また、図２は、本実施の形態による移動無線通信端末装置１の外観の一例であり、図２のように１つの筐体で構成される一体型や、２つの筐体がスライド可能に支持されたスライド型、２つの筐体がヒンジ部で開閉可能に支持された折り畳み型等、任意の形態とすることができる。
【００３３】
図３は本発明の第１の実施の形態による目覚まし通知機能の設定項目の画面構成例を示す図であり、図４は本発明の第１の実施の形態による移動無線通信端末装置１を用いた目覚まし通知機能の動作を示すフローチャートである。これら図１〜図４を参照して本発明の第１の実施の形態による移動無線通信端末装置１を用いた目覚まし通知機能の動作について説明する。尚、図４に示す動作は、制御部１３のＣＰＵがメモリ１４に格納されたプログラムを実行することで実現される。
【００３４】
まず、図５を参照して、本発明に関連する移動無線通信端末装置に設けられる現在の目覚まし通知機能の設定項目について説明する。図５に示すように、目覚まし通知機能においては、目覚まし一覧画面３１と、設定されているアラームに対する処理を選択する機能メニュー画面３２とを所持している。
【００３５】
次に、図３を参照して、本実施の形態による目覚ましスキップ機能の設定方法について説明する。目覚ましスキップ機能の設定を行う場合は、まず、キー操作部１５の方向キーや特殊キー等を操作して表示部１８に図５に示す目覚まし一覧画面３１を表示させ、方向キーや数字キー等を操作し、表示部１８に機能メニュー画面２１を表示させる。
【００３６】
次に、方向キーや数字キー等を操作して機能メニュー画面２１に追加したスキップ設定項目２４を選択し、スキップ設定画面２２を表示させ、アラーム発生時刻に達した場合にアラームをスキップさせる回数を選択する。スキップ回数を設定した場合は、アラーム発生時刻に達してもアラームを発生させずにスキップされ、スキップ回数が１減少する。スキップ回数を設定しなかった場合は、アラーム発生時刻に達した場合、通常のアラーム処理と同じ動作を行う。
【００３７】
以上の手順で、目覚ましスキップ機能の設定を行い、表示部１８に待ち受け画面（図示せず）が表示され、目覚まし一覧画面２３には目覚ましスキップ機能が動作中であることを通知するアイコン２５が表示される。
【００３８】
次に、本実施の形態による移動無線通信端末装置１の制御部１３及び目覚ましスキップ制御部１３１の動作について説明する。
【００３９】
まず、制御部１３は、アラーム発生時刻になっているか否かの判定を次のように実行する（図４ステップＳ１）。すなわち、制御部１３は、時計部１９から送られてくる時刻情報と監視しているアラーム発生時刻とを比較し、時計部１９から送られてくる時刻情報が示す時刻がアラーム発生時刻を過ぎたか否かを監視することによって、アラーム発生時刻になっているか否かを判定する。
【００４０】
そして、制御部１３は、時計部１９から送られてくる時刻がアラーム発生時刻に達していないと判定すると（図４ステップＳ１のＮＯ）、上記の処理を繰り返すことにより、時計部１９から送られてくる時刻情報がアラーム発生時刻になっているか否かの判定を繰り返す。
【００４１】
一方、制御部１３は、時計部１９から送られてくる時刻情報がアラーム発生時刻であると判定すると（図４ステップＳ１のＹＥＳ）、そのアラーム発生時刻の設定情報にスキップ回数が設定されているか（回数が０かどうか）の判定を実行する（図４ステップＳ２）。
【００４２】
この場合、アラームスキップ制御部１３１は、メモリ１４よりスキップ回数を読出し、設定されている回数が“０”となっているかどうかを判定する。アラームスキップ制御部１３１は、メモリ１４から読出したスキップ回数が“０”であると判定すると（図４ステップＳ２のＹＥＳ）、オーディオ部１６を制御してスピーカ１７からアラームを鳴らし、アラーム発生時刻であることを通知する（図４ステップＳ３）。
【００４３】
一方、アラームスキップ制御部１３１は、メモリ１４から読出したスキップ回数が“０”以外であると判定すると（図４ステップＳ２のＮＯ）、スキップ回数を“１“減少させて（図４ステップＳ４）、ステップＳ１の処理に戻る。
【００４４】
このように、本実施の形態では、目覚まし通知機能にスキップ回数を管理させる機能（アラームスキップ制御部１３１）を持たせることにより、停止させたアラーム設定を再設定することを忘れるトラブルを解決することができる。
【００４５】
また、本実施の形態では、目覚まし通知機能を再設定するという作業自体が必要なくなり、操作性を向上させることができる。
【００４６】
尚、上記の実施の形態では、目覚まし通知機能について説明したが、予め定められた時刻に予め定められた方法で通知を行う通知機能全般に適用することができる。
【００４７】
また、上記の実施の形態では、目覚まし通知機能を備えた移動無線通信端末装置について記載しているが、本発明は上記実施例に限定されるものではなく、目覚まし通知機能と他の機能とを備える任意の機器、例えば、目覚まし通知機能を備えたＰＤＡ（Ｐｅｒｓｏｎａｌ  Ｄｉｇｉｔａｌ  Ａｓｓｉｓｔａｎｃｅ）やゲーム機、固定電話機等に対しても、上記と同様に、本発明を適用することができる。
【００４８】
さらに、本実施の形態では、目覚まし通知機能の機能全体をスキップさせているが、目覚まし通知機能の種類をスキップする場合に適用してもよい。例えば、予め設定した時間に定期的にアラームが鳴動するように設定していたとする。この設定をしている場合に、次の一回だけアラーム鳴動ではなく、バイブレーションによる通知を行うといった使い方に対しても、上記と同様に、本発明を適用することができる。
【００４９】
さらにまた、本実施の形態では、スキップ設定を手動で行っているが、これを別のアクションをトリガーに設定させても良い。例えば、インタネット上のスケジューラ上で休暇と設定しておき、そのスケジューラの情報を取得すると、スキップ設定を適用する、またメール受信についても同様に適用することができる。
【産業上の利用可能性】
【００５０】
本発明は、目覚まし通知機能を備えた移動無線通信端末装置等の携帯端末や固定電話機、及びそれらの機器における目覚まし通知機能や予め定められた時刻に予め定められた方法で通知を行う通知機能に対して適用可能である。
【符号の説明】
【００５１】
１  移動無線通信端末装置
１１  アンテナ
１２  無線部
１３  制御部
１４  メモリ
１５  キー操作部
１６  オーディオ部
１７  スピーカ
１８  表示部
１９  時計部
１３１  目覚ましスキップ制御部
【図１】
2011066563.tif 000003
【図２】
2011066563.tif 000004
【図３】
2011066563.tif 000005
【図４】
2011066563.tif 000006
【図５】
2011066563.tif 000007